(57)【要約】      （修正有）【課題】識別のために必要な面積が狭く、かつ、電気的にも視覚的にも識別が可能なプリント基板およびその識別方法を提供すること。【解決手段】プリント基板の実装完成品の品種と予め対応づけられた抵抗値を有する識別用チップ抵抗１１をプリント基板上に設けるようにし、この識別用チップ抵抗１１の抵抗値を測定することでプリント基板を識別することとした。また、識別用チップ抵抗１１の外表面に識別用チップ抵抗１１の種類に応じた識別表示１９を設けるようにした。【選択図】        図６
2004327600.tif 000002
【特許請求の範囲】
【請求項１】
少なくとも１つの識別用チップ抵抗を備えていることを特徴とするプリント基板。
【請求項２】
前記識別用チップ抵抗の抵抗値測定用の電極パッドを備えていることを特徴とする請求項１に記載のプリント基板。
【請求項３】
前記電極パッドと電気的に接続されたエッジコネクタを備えていることを特徴とする請求項２に記載のプリント基板。
【請求項４】
前記識別用チップ抵抗の外表面には、当該識別用チップ抵抗の種類に応じた識別表示がなされていることを特徴とする請求項１乃至３の何れかに記載のプリント基板。
【請求項５】
前記識別表示は、前記識別用チップ抵抗の抵抗値であることを特徴とする請求項４に記載のプリント基板。
【請求項６】
請求項１乃至５の何れかに記載のプリント基板に備えられた識別用チップ抵抗の抵抗値を測定し、当該測定により得られた抵抗値に応じてプリント基板実装完成品の品種を識別することを特徴とするプリント基板の識別方法。
【請求項７】
請求項４または５に記載のプリント基板に備えられた識別用チップ抵抗の識別表示に応じてプリント基板実装完成品の品種を識別することを特徴とするプリント基板の識別方法。
【発明の詳細な説明】
【０００１】
【発明の属する技術分野】
本発明は、プリント基板およびその識別方法に関する。
【０００２】
【従来の技術】
プリント基板上には複数の部品が実装され、そのレイアウト（部品配置パターンや実装部品の種類など）は最終製品である実装完成品の種類に応じて設計される。この場合、実装完成品の種類毎に異なる種類のプリント基板を使用することは生産性の観点から好ましくないため、同一仕様のプリント基板上に複数種類の実装完成品の種類に応じた部品レイアウトを行なうのが一般的である。したがって、何れのプリント基板も同一の外観を呈することとなり、製造ラインの組立工程などにおいて、どのプリント基板がどの最終製品に対応するものであるかの識別を行なうことが必要となる。
【０００３】
例えば特許文献１には、プリント基板に複数種類の識別用ランドを設け、最終製品に対応する１つの識別用ランドに予備半田を行なうことで最終製品の種類の識別を行なう方法が開示されている。
【０００４】
また特許文献２には、プリント基板内に複数の電気的接続点を設け、これらの電気的接続点を数字表示用の７セグメントと同様の位置に配置させ、所望の数字の形となるように接続点同士を接続することで視覚的にも電気的にも識別を可能とする方法が開示されている。
【０００５】
さらに特許文献３には、プリント基板の捨て板部にプリント基板の種類を識別するためのジャンパを組み付け、このジャンパの内容を識別装置により読み取り、さらに、読み取った結果を記憶素子に書き込むことによりプリント基板の種類を選別する方法が開示されている。
【０００６】
【特許文献１】
特開平８−２９８３６１号公報
【０００７】
【特許文献２】
特開平１０−９８２４９号公報
【０００８】
【特許文献３】
特開平５−２５９６９６号公報
【０００９】
【発明が解決しようとする課題】
しかしながら、これらの従来の識別方法には以下のような問題がある。
【００１０】
特許文献１に記載の方法では、実装完成品の品種の数が増えると識別用ランドの種類も増やすことが必要となる。原理的には、識別用ランドの数Ｎは実装完成品の品種の数をｎとして、Ｎ＞ｌｏｇ［ｎ］／ｌｏｇ［２］を満足する必要があるが、この方法で用いられる識別用ランドには接着剤や半田を塗布できるだけのサイズが必要とされるため、識別用ランドがプリント基板上で占める面積が広くならざるを得ず小型プリント基板への適用は困難である。
【００１１】
また特許文献２に記載の方法では、リード部品を実装してセグメント表示を行なうため、大きな実装スペースが必要とされリフロー実装の小型プリント基板には適用ができない。
【００１２】
さらに特許文献３に記載の方法では、組立工程における視覚による識別が原理的に不可能であることに加え、記憶素子内に格納されているデータを読み取るための装置が必要となる。
【００１３】
本発明は、このような問題に鑑みてなされたものであって、その目的とするところは、識別のために必要な面積が狭く、かつ、電気的にも視覚的にも識別が可能なプリント基板およびその識別方法を提供することにある。
【００１４】
【課題を解決するための手段】
本発明は、このような目的を達成するために、請求項１に記載の発明は、プリント基板であって、少なくとも１つの識別用チップ抵抗を備えていることを特徴とする。
【００１５】
請求項２に記載の発明は、請求項１に記載のプリント基板において、前記識別用チップ抵抗の抵抗値測定用の電極パッドを備えていることを特徴とする。
【００１６】
請求項３に記載の発明は、請求項２に記載のプリント基板において、前記電極パッドと電気的に接続されたエッジコネクタを備えていることを特徴とする。
【００１７】
請求項４に記載の発明は、請求項１乃至３の何れかに記載のプリント基板において、前記識別用チップ抵抗の外表面には、当該識別用チップ抵抗の種類に応じた識別表示がなされていることを特徴とする。
【００１８】
請求項５に記載の発明は、請求項４に記載のプリント基板において、前記識別表示は、前記識別用チップ抵抗の抵抗値であることを特徴とする。
【００１９】
請求項６に記載の発明は、プリント基板の識別方法であって、請求項１乃至５の何れかに記載のプリント基板に備えられた識別用チップ抵抗の抵抗値を測定し、当該測定により得られた抵抗値に応じてプリント基板実装完成品の品種を識別することを特徴とする。
【００２０】
請求項７に記載の発明は、プリント基板の識別方法であって、請求項４または５に記載のプリント基板に備えられた識別用チップ抵抗の識別表示に応じてプリント基板実装完成品の品種を識別することを特徴とする。
【００２１】
【発明の実施の形態】
以下に、図面を参照して本発明の実施の形態について説明する。
【００２２】
図１は、本発明のプリント基板の構成例を説明するための概念図で、種々の部品が片面或いは両面に実装されたプリント基板１０の上に、識別用チップ抵抗１１が設けられている。このプリント基板１０は、実装される抵抗、コンデンサ、インダクタンスなどの回路定数の違いやＩＣなどの相違により実装完成品としては異なる種類に識別して取扱われるべきものである。このため、識別用チップ抵抗１１の抵抗値は、識別を要する実装完成品の品種ごとに予め対応づけられた特定の値とされ、この識別用チップ抵抗１１の抵抗値を測定することによりプリント基板１０の種類（実装完成品の品種）が識別可能となる。
【００２３】
このようなチップ抵抗をプリント基板の識別に用いることとすれば、識別のために要する占有面積は従来の方法と比較して極めて狭いもので済むこととなる。また、実装完成品の品種の数によらず、識別のための占有面積は一定であり、実装工程も最小限で済むこととなる。さらに、入手可能なチップ抵抗の抵抗値の種類分だけの識別が可能となるから、多品種のプリント基板の識別にも何ら支障はない。
【００２４】
識別用チップ抵抗１１として用いられるチップ抵抗は特別なものである必要はなく、回路定数として使用される他のチップ抵抗と同種のものであってもよい。なお、識別用チップ抵抗１１を設ける目的はプリント基板１０の識別のためであり、プリント基板１０上に実装される完成品の回路定数とは独立であることはいうまでもない。
【００２５】
図１に示した例では識別用チップ抵抗１１の個数は１つとして説明したが、所望により複数の識別用チップ抵抗を備えることとしてもよい。例えば、実装完成品が複数のグループに分類でき、かつ、１つのグループにいくつかのクラス（サブグループ）があるような場合には、２つの識別用チップ抵抗を備えるようにし、一方の識別用チップ抵抗でグループを識別し、他方の識別用チップ抵抗でクラスを識別することが可能である。このように、複数の識別用チップ抵抗を備えることとすればより細かな品種の識別が可能となる。
【００２６】
図２は、本発明のプリント基板に設けられる識別用チップ抵抗の第１の実装例を説明するための図で、説明の簡略化のためにプリント基板１０上に設けられた識別用チップ抵抗１１の近傍の様子のみを図示している。識別用チップ抵抗１１の両端部の各々は、プリント基板１０上に形成された半田パッド１２ａおよび１２ｂにコンタクトされ、これら半田パッド１２ａと１２ｂの各々はプロービングパッド１３ａと１３ｂに電気的に接続されている。すなわち、プロービングパッド１３ａと１３ｂにプローブを立てて識別用チップ抵抗１１の抵抗値を測定することが可能な構成とされている。
【００２７】
図３は、本発明のプリント基板に設けられる識別用チップ抵抗の第２の実装例を説明するための図で、この図においても説明の簡略化のためにプリント基板１０上に設けられた識別用チップ抵抗１１の近傍の様子のみが図示されている。識別用チップ抵抗１１の両端部の各々は、プリント基板１０上に形成された半田パッド１２ａおよび１２ｂにコンタクトされ、これら半田パッド１２ａと１２ｂの各々は、プリント基板１０上に設けられたリードライン１４ａおよび１４ｂを介して、プリント基板１０の１端部に設けられたエッジコネクタ１５の所定の２つの端子と電気的に接続されている。したがって、エッジコネクタ１５の所定の２つの端子から識別用チップ抵抗１１の抵抗値を測定することが可能である。
【００２８】
（実施例１）
図４は、本発明のプリント基板の電気的識別方法を説明するための図で、プリント基板には、図２で説明した実装状態の識別用チップ抵抗が設けられている。プリント基板上の半田パッド１２ａおよび１２ｂにコンタクトしているプロービングパッド１３ａおよび１３ｂの各々には、抵抗値測定用のテスタ１７に接続されている２本のプローブ１６ａおよび１６ｂが立てられ、識別用チップ抵抗１１の抵抗値を測定する。
【００２９】
上述したように、識別用チップ抵抗１１の抵抗値とプリント基板実装完成品の品種とは予め対応関係を有するように設定されている。例えば、実装完成品の品種が３種類（Ｋ，Ｌ，Ｍ）であるとすると、品種Ｋには１．０ＫΩの抵抗値、品種Ｌには１．２ＫΩの抵抗値、そして品種Ｍには１．５ＫΩの抵抗値の識別用チップ抵抗を対応させるといった具合である。そして、プリント基板上の識別用チップ抵抗１１の抵抗値の測定結果が１．２ＫΩであった場合には、このプリント基板は品種Ｌの実装完成品に対応するものであることが識別できる。なお、識別用チップ抵抗１１の公証値と実測値とは必ずしも一致するものではなく、公証値と実測値との間には若干の差異が生じうるから、品種ごとに割り当てる識別チップ抵抗の抵抗値はかかる抵抗値の差異を考慮して、品種同士で実測抵抗値が重なり合うことがないために充分な離散的な値を設定することはいうまでもない。テスタ１７は持運びや抵抗値測定が容易であり、簡便にプリント基板の識別が可能となる。
【００３０】
（実施例２）
図５は、本発明のプリント基板の電気的識別方法を説明するための図で、プリント基板には、図３で説明した実装状態の識別用チップ抵抗が設けられている。プリント基板上の半田パッド１２ａおよび１２ｂにコンタクトしているリードライン１４ａおよび１４ｂの各々はエッジコネクタ１５の所定の２つの端子に配線され、この２つの端子が抵抗値測定用のテスタ１７の２本のリード線１８ａおよび１８ｂと電気的に接続されて、識別用チップ抵抗１１の抵抗値を測定する。
【００３１】
なお、識別用チップ抵抗１１の抵抗値からプリント基板実装完成品の品種を判断してプリント基板を識別する点、および、そのための識別用チップ抵抗１１の抵抗値の設定の方法は実施例１で説明したとおりである。このような方法によれば、エッジコネクタを用いた製品の出荷検査等の動作確認時にプリント基板の識別を同時に行なうことも可能となる。
【００３２】
（実施例３）
図６は、本発明のプリント基板の視覚的識別方法を説明するための図で、識別用チップ抵抗１１の外表面には、外部から認識可能な状態でこの識別用チップ抵抗１１の種類に応じた識別表示１９がなされている。本実施例では、この識別表示１９として、識別用チップ抵抗１１の抵抗値（１．２ＫΩ）を意味する「１２２」という数字が用いられており、１．０ｋΩには「１０２」、１．５ＫΩには「１５２」といった数字が割り振られるなどして品種との対応づけがなされる。このような識別表示１９は組立工程などにおいて外観観察が可能であるから、識別用チップ１１の抵抗値測定を行なうまでもなくプリント基板の識別が可能になるという利点がある。
【００３３】
なお、識別用チップ抵抗１１に表示される識別表示１９は必ずしも識別用チップ抵抗１１の抵抗値である必要はなく、予め実装完成品の品種と対応づけられた記号や文字などとして、視覚による識別を容易にするようにしてもよい。
【００３４】
【発明の効果】
以上説明したように、本発明によれば、プリント基板実装完成品の品種と予め対応づけられた抵抗値を有する識別用チップ抵抗をプリント基板上に設けるようにし、この識別用チップ抵抗の抵抗値を測定することでプリント基板を識別することとしたので、識別のために必要な面積が狭くかつ電気的識別が可能なプリント基板およびその識別方法を提供することが可能となる。また、識別用チップ抵抗の外表面に識別用チップ抵抗の種類に応じた識別表示を設けるようにしたので、電気的識別のみならず視覚的識別も可能となる。
【図面の簡単な説明】
【図１】本発明のプリント基板の構成例を説明するための概念図である。
【図２】本発明のプリント基板に設けられる識別用チップ抵抗の第１の実装例を説明するための図である。
【図３】本発明のプリント基板に設けられる識別用チップ抵抗の第２の実装例を説明するための図である。
【図４】本発明のプリント基板の電気的識別方法を説明するための図である。
【図５】本発明のプリント基板の電気的識別方法を説明するための図である。
【図６】本発明のプリント基板の視覚的識別方法を説明するための図である。
【符号の説明】
１０  プリント基板
１１  識別用チップ抵抗
１２ａ、１２ｂ  半田パッド
１３ａ、１３ｂ  プロービングパッド
１４ａ、１４ｂ  リードライン
１５  エッジコネクタ
１６ａ、１６ｂ  プローブ
１７  テスタ
１８ａ、１８ｂ  リード線
１９  識別表示
【図１】
2004327600.tif 000003
【図２】
2004327600.tif 000004
【図３】
2004327600.tif 000005
【図４】
2004327600.tif 000006
【図５】
2004327600.tif 000007
【図６】
2004327600.tif 000008